(57)【要約】【課題】  スクリーン印刷により立体的で一定の硬さと柔軟性を有する衣服用滑り止めシートや認識票の提供。【解決手段】  シリコーン樹脂にチキソ剤の一定量（０．１％〜０．５％重量部）を混合させたものとなし、これをホットメルト樹脂の塗布されたセパレート紙上へ、肉厚１．０ｍｍ〜１．５ｍｍ、縦・横寸法を１ｃｍ〜５ｃｍの方形、楕円形或いは円形状などのブロック体となし、且つ該ブロック体表面には巾寸法を１ｍｍ〜２ｍｍとなした複数の凹凸部を形成させる。このさい、凹凸部の表面、或いはその表面と底面などに対しメッシュ状の皺目が形成されたものとなす。【選択図】      図２
0003118940.tif 000002
【実用新案登録請求の範囲】
【請求項１】
シリコーン樹脂にチキソ剤の少量を混合させたものとなし、これをホットメルト樹脂の塗布されたセパレート紙上へ、肉厚１．０ｍｍ〜１．５ｍｍ、縦・横寸法を１ｃｍ〜５ｃｍの方形、楕円形或いは円形状などのブロック体となし、且つ該ブロック体表面に巾寸法を１ｍｍ〜２ｍｍとなした複数の凹凸部を形成させたものとなしてあることを特徴とする衣服類用成形体シート。
【請求項２】
チキソ剤はシリコーン樹脂１００重量部に対し、０．１％〜０．５％重量部を混合させたものとなしたことを特徴とする請求項１記載の衣服類用成形体シート。
【請求項３】
上記凹凸の表面、或いはその表面と底面に対しメッシュ状の皺目が形成されたものとなしてあることを特徴とする請求項１又は２記載の衣服類用成形体シート。
【請求項４】
請求項１、２又は３記載の成形体シートを、その腰裏布へ熱圧着させたことを特徴とするズボン。
【請求項５】
請求項１，２又は３記載の成形体シートを、衣服類へ熱圧着させて使用するものとなされる認識票。
【考案の詳細な説明】
【技術分野】
【０００１】
本考案はズボンやスカートの腰裏布、上衣の肩パット、サスペンダー、腹巻き、ショルダーベルト、等の衣料に適宜取付けて使用する衣服類のすべり止め用成形体及び認識票に係る。
【背景技術】
【０００２】
ズボンなどの腰部内面側に取付ける腰裏用すべり止め体として、従来から種々のものが存在する。例えば、腰裏用に使用されている帯状の布地に、スクリーン印刷などにより発泡シリコーン樹脂を所定形状に印刷したり、シリコーン樹脂で一体成形したすべり止め部材を縫着させるものなどがある。
【特許文献１】特開昭６０−３９４０３号
【特許文献２】特開２００１−１１７０９
【考案の開示】
【考案が解決しようとする課題】
【０００３】
上記に於いて、スクリーン印刷により印刷された発泡シリコーン樹脂体は、その肉厚が０．２ｍｍ〜０．５ｍｍ程度にしか形成できず、すべり止めとしての効用は比較的低かった。また、シリコーン樹脂で一体成形したすべり止め部材を布地に縫着して形成したものは、多量のシリコーン樹脂を使用するためコストが高く付くという欠点のほか、縫着時に於けるミシン針の劣化破損は否めないものであった。
本考案はこれらの問題点を解決せんとするものである。
【課題を解決するための手段】
【０００４】
本考案はシリコーン樹脂にチキソ剤の少量を混合させたものとなし、これをホットメルト樹脂の塗布されたセパレート紙上へ、肉厚１．０ｍｍ〜１．５ｍｍ、縦・横寸法を１ｃｍ〜５ｃｍの方形、楕円形或いは円形状などのブロック体となし、且つ該ブロック体表面に巾寸法を１ｍｍ〜２ｍｍとなした複数の凹凸部を形成させたものとなしてあることを特徴とする。このさい、チキソ剤はシリコーン樹脂１００重量部に対し、０．１％〜０．５％重量部を混合させるようになすのであり、また上記の凹凸の表面、或いはその表面と底面に対しメッシュ状の皺目が形成されるものとなしたりするのである。一方、上記構成のシリコーン樹脂体はホットメルト樹脂の塗布されたセパレート紙上に対し、基布やプライマーなどを使用することなく形成させたりするのであり、工程の簡略化を図れるものとなる。
【考案の効果】
【０００５】
本考案ではシリコーン樹脂に対し、一定量のチキソ剤を混入させたものとなしたことから、連続高温重合から一括低温、常温重合を可能になしたものである。
また、発泡剤の使用ではバラツキのない適正な立体形状の形成が困難であったり、硬化時の液垂れや崩れなどの問題があるが、本考案では発泡剤を使用しないため、上記問題の無いものとなるのであり、しかも発泡剤による強力低下も無いものとなる。
一方、請求項３に記載の表面にメッシュ状の皺目を形成したものは、すべり止め効果と柔軟性の向上が、格段に図れるものとなる。他方、上記成形体を、基布やプライマーを使用することなく直接にホットメルト樹脂の塗布されたセパレート紙上へ形成させたものでは、工程の簡略化とコストの低減化並びに効率的な取付け作業の行えるものとなるのである。
【考案を実施するための最良の形態】
【０００６】
図１は本考案に係る衣類用成形体シートの作成例を示す平面図、図２は図１のｘ−ｘ線断面図である。ここに、１はセパレート紙であって、表面にはホットメルト樹脂２が塗布されたものとなされてある。３は該表面２上にスクリーン印刷されたブロック体であって、該成形体はシリコーン樹脂の１００重量部に対し、適宜な顔料や触媒などと共に、少量のチキソ剤を混合させたものとなすのであり、このさい上記のチキソ剤量はシリコーン樹脂１００重量部に対し０．１％〜０．５％重量部となされる。
上記数値が０．１％以下の場合では本考案者の幾多の実験結果からして目的とする肉厚０．１ｍｍ〜１．５ｍｍの適確な立体成形が困難であり、これに対し０．５％以上では同じく目的とする滑り止めの作用効果や、期待するシリコーン樹脂の弾力性が奏されないなどの問題があることが解った。
【０００７】
４はブロック体３の表面に形成される巾寸法ｔを１ｍｍ〜２ｍｍになした凹凸部であって、図示例では溝状に形成したものとなしてあるが、他の各種形状となすことができる。５は上記凹凸部４の表面に形成させたメッシュ状の皺目であり、図示例では凹凸部の凸部と凹部の両者へ形成したものを示しているが、凸部面など何れか一方に形成するものとなしても良い。上記皺目は摩擦抵抗を高めて腰裏帯体としての使用では滑り止め効果の向上に寄与するのであり、またシート全体に柔軟性を起生させる因をなすのである。
【０００８】
上記実施例では上記構成のブロック体３をホットメルト樹脂の塗布されたセパレート紙１上へ直接にスクリーン印刷させたものであるが、基布などを介してスクリーン印刷するようになしても良い。図３は基布６の使用された他の例の断面図である。但し、前記実施例の如く構成する場合は、工程の簡略化やコストの低減化に寄与するものとなる。
【０００９】
なお、本考案の如くチキソ剤を使用したものでは、一定肉厚で適正な凹凸模様のブロック体が形成されるものとなるのであり、立体的な肉厚感に優れたものとなる。とりわけ、本考案品では腰裏用の滑り止め体としての使用のほか、認識票としての使用も可能である。このさい、肉厚寸法は上方から重ね印刷することにより、適宜必要な肉厚寸法のものにすることが容易に可能であるが、本考案品では専ら１．０ｍｍ〜１．５ｍｍのものとなし、且つこれに適宜皺目５を付与させることにより一定の硬さと柔軟性のある製品を提供することができるのであり、滑り止め部材としての使用では特にその作用効果と耐久性の向上に寄与すること大ならしめるものである。なお、上記で皺目５の形成はシルクスクリーン印刷時の紗目を適宜選択して行うのであり、本考案では紗目３０〜７０メッシュで０．３ｍｍ〜０．５ｍｍ厚の型を選定した。
【図面の簡単な説明】
【００１０】
【図１】本考案に係る衣料用成形体シートの作成例を示す平面図である。
【図２】図１のｘ−ｘ線断面図である。
【図３】他の例の断面図である。
【符号の説明】
【００１１】
１      セパレート紙
２      ホットメルト樹脂
３      ブロック体
４      凹凸部
５      皺目
６      基布
【図１】
0003118940.tif 000003
【図２】
0003118940.tif 000004
【図３】
0003118940.tif 000005